(57)【要約】【課題】別のセルへのセル再選択を実行するよう構成された方法およびＷＴＲＵを開示する。【解決手段】ＷＴＲＵ（wireless transmit receive unit）がＣＥＬＬ＿ＦＡＣＨ状態であるときに、Ｅ−ＤＣＨを使用して別のセルへのセル再選択を実行するよう構成されたＷＴＲＵを開示する。セル再選択は、ＷＴＲＵによる内部測定に基づく。あるいはまた、セル再選択を、ネットワークへ報告されるＷＴＲＵの測定値に基づくことができる。【選択図】図３
2018102000.tif 000002
【特許請求の範囲】
【請求項１】
無線送受信ユニット（ＷＴＲＵ）と通信するために無線ネットワークを操作する方法であって、
前記ＷＴＲＵによって複数の隣接セルにおいて行われる測定からの情報を含む、前記ＷＴＲＵから送信されるメッセージを、ソースセルを介して受信することと、
前記ＷＴＲＵがターゲットセルへ変更することを示すハンドオーバーメッセージを、前記ソースセルを介して前記ＷＴＲＵへ送信することと、
前記ターゲットセルに関連付けられている拡張無線ネットワーク一時識別子（Ｅ−ＲＮＴＩ）を、前記ソースセルを介して前記ＷＴＲＵへ送信することと、
前記ターゲットセルを介して前記ＷＴＲＵと通信するための拡張専用チャネルを確立するためのリソース割り当て情報を、前記ターゲットセルを介して前記ＷＴＲＵへ送信することと、を含み、
前記ターゲットセルは、前記複数の隣接セルの１つであり、
前記ハンドオーバーメッセージは、
ｉ）前記ソースセルに関連付けられているＥ−ＲＮＴＩを用いることを前記ＷＴＲＵが中止するコマンド、及び
ｉｉ）少なくとも１つの媒体アクセス制御リソースを前記ＷＴＲＵがリセットするコマンドを含む、方法。
【請求項２】
請求項１に記載の方法において、前記ソースセルを介して前記ハンドオーバーメッセージが送信された後に、前記ＷＴＲＵに割り当てられているリソースを解放することをさらに含む、方法。
【請求項３】
請求項１に記載の方法において、前記ターゲットセルを介して前記ＷＴＲＵからランダムアクセスプリアンブルを受信することをさらに含む、方法。
【請求項４】
請求項１に記載の方法において、無線ネットワーク制御装置によって、前記送信されたＥ−ＲＮＴＩを割り当てることをさらに含む、方法。
【請求項５】
無線送受信ユニット（ＷＴＲＵ）に関するソースセル及びターゲットセルを提供するために操作可能な無線ネットワークであって、
前記ＷＴＲＵによって複数の隣接セルにおいて行われる測定からの情報を含む、前記ＷＴＲＵから送信されるメッセージを、前記ソースセルを介して受信し、前記ＷＴＲＵがターゲットセルへ変更することを示すハンドオーバーメッセージを、前記ソースセルを介して前記ＷＴＲＵへ送信するように前記ソースセルに関連付けられている第１基地局と、
前記ターゲットセルに関連付けられている第２基地局と、を備え、
前記第１基地局は、前記ターゲットセルに関連付けられている拡張無線ネットワーク一時識別子（Ｅ−ＲＮＴＩ）を、前記ソースセルを介して前記ＷＴＲＵへ送信し、
前記第２基地局は、前記ターゲットセルを介して前記ＷＴＲＵと通信するための拡張専用チャネルを確立するためのリソース割り当て情報を、前記ターゲットセルを介して前記ＷＴＲＵへ送信し、
前記ターゲットセルは、前記複数の隣接セルの１つであり、
前記ハンドオーバーメッセージは、
ｉ）前記ソースセルに関連付けられているＥ−ＲＮＴＩを用いることを前記ＷＴＲＵが中止するコマンド、及び
ｉｉ）少なくとも１つの媒体アクセス制御リソースを前記ＷＴＲＵがリセットするコマンドを含む、無線ネットワーク。
【請求項６】
請求項５に記載の無線ネットワークにおいて、前記第１基地局は、前記ソースセルを介して前記ハンドオーバーメッセージが送信された後に、前記ＷＴＲＵに割り当てられているリソースを解放する、無線ネットワーク。
【請求項７】
請求項５に記載の無線ネットワークにおいて、前記第２基地局は、前記ターゲットセルを介して前記ＷＴＲＵからランダムアクセスプリアンブルを受信する、無線ネットワーク。
【請求項８】
請求項５に記載の無線ネットワークにおいて、無線ネットワーク制御装置をさらに備え、前記送信されたＥ−ＲＮＴＩは、前記無線ネットワーク制御装置によって前記ＷＴＲＵに割り当てられる、無線ネットワーク。
【請求項９】
受信機と、
送信機と、を備え、
前記受信機は、無線送受信ユニット（ＷＴＲＵ）によって複数の隣接セルにおいて行われる測定からの情報を含む、前記ＷＴＲＵから送信されるメッセージを、ソースセルを介して受信し、
前記送信機は、前記ＷＴＲＵがターゲットセルへ変更することを示すハンドオーバーメッセージを、前記ソースセルを介して前記ＷＴＲＵへ送信し、前記ターゲットセルに関連付けられている拡張無線ネットワーク一時識別子（Ｅ−ＲＮＴＩ）を、前記ソースセルを介して前記ＷＴＲＵへ送信し、
前記ターゲットセルは、前記複数の隣接セルの１つであり、
前記ハンドオーバーメッセージは、
ｉ）前記ソースセルに関連付けられているＥ−ＲＮＴＩを用いることを前記ＷＴＲＵが中止するコマンド、及び
ｉｉ）少なくとも１つの媒体アクセス制御リソースを前記ＷＴＲＵがリセットするコマンドを含む、基地局。
【請求項１０】
請求項９に記載の基地局において、前記基地局は、前記ソースセルを介して前記ハンドオーバーメッセージが送信された後に、前記ＷＴＲＵに割り当てられているリソースを解放する、基地局。
【請求項１１】
請求項９に記載の基地局において、前記受信機は、前記ターゲットセルを介して前記ＷＴＲＵからランダムアクセスプリアンブルをさらに受信する、基地局。
【請求項１２】
請求項９に記載の基地局において、前記送信されたＥ−ＲＮＴＩは、無線ネットワーク制御装置によって前記ＷＴＲＵに割り当てられる、基地局。
【請求項１３】
請求項９に記載の基地局において、前記基地局は、ノードＢ、アクセスポイント、サイトコントローラー、及びインターフェーシングデバイスのいずれか１つである、基地局。
【請求項１４】
無線送受信ユニット（ＷＴＲＵ）によって実行される方法であって、
ソースセルと通信することと、
複数の隣接セルにおいて測定を実行することと、
前記ソースセルを介して、前記測定からの情報を送信することと、
前記ソースセルを介して、前記複数の隣接セルの１つであるターゲットセルを介して前記ＷＴＲＵが通信することを示すメッセージを受信することと、
前記メッセージを受信した後、
前記ソースセルに関連付けられている拡張無線ネットワーク一時識別子（Ｅ−ＲＮＴＩ）を用いることを中止し、
媒体アクセス制御をリセットし、
前記ソースセルを介して、前記ターゲットセルに関連付けられているＥ−ＲＮＴＩを受信し、
前記ターゲットセルを介して、前記受信したＥ−ＲＮＴＩを用いて通信することと、を含む方法。
【請求項１５】
請求項１４に記載の方法において、前記ターゲットセルを介してリソース割り当て情報を受信することをさらに含む、方法。
【請求項１６】
請求項１５に記載の方法において、前記ターゲットセルを介して通信することは、前記リソース割り当て情報に従って拡張専用チャネルを通じて通信することを含む、方法。
【請求項１７】
請求項１４に記載の方法において、前記受信したメッセージに応じてタイマーを開始することをさらに含む、方法。
【請求項１８】
請求項１４に記載の方法において、前記受信したメッセージは、ハンドオーバーメッセージである、方法。
【請求項１９】
請求項１４に記載の方法において、前記受信したメッセージは、前記ターゲットセルの識別情報を含む、方法。
【請求項２０】
請求項１４に記載の方法において、前記媒体アクセス制御をリセットすることは、前記ＷＴＲＵ内のハイブリッド自動再送要求バッファをフラッシングすることを含む、方法。
【請求項２１】
請求項１４に記載の方法において、前記媒体アクセス制御をリセットすることは、前記ＷＴＲＵ内の送信シーケンス番号をリセットすることを含む、方法。
【請求項２２】
請求項１４に記載の方法において、前記受信したメッセージに応じて、前記ターゲットセルを介してランダムアクセスプリアンブルを送信することをさらに含む、方法。
【請求項２３】
請求項１４に記載の方法において、前記受信したＥ−ＲＮＴＩは、無線ネットワーク制御装置によって前記ＷＴＲＵに割り当てられる、方法。
【請求項２４】
無線送受信ユニット（ＷＴＲＵ）であって、
送信機と、
受信機と、
プロセッサと、を備え、
前記プロセッサは、
前記受信機によって複数の隣接セルから受信した信号において測定を実行し、
ソースセルを介して、前記測定からの情報を前記送信機に送信させ、
前記ソースセルを介して前記受信機によって受信され、前記複数の隣接セルの１つであるターゲットセルを介して前記ＷＴＲＵが通信することを示すメッセージを処理し、
前記メッセージを処理した後、
媒体アクセス制御をリセットし、
前記ソースセルに関連付けられている拡張無線ネットワーク一時識別子（Ｅ−ＲＮＴＩ）を用いることを中止し、
前記ソースセルを介して前記受信機によって受信され、前記ターゲットセルに関連付けられているＥ−ＲＮＴＩを用いて、前記ＷＴＲＵに前記ターゲットセルを介して通信させる、ＷＴＲＵ。
【請求項２５】
請求項２４に記載のＷＴＲＵにおいて、前記プロセッサは、前記ターゲットセルを介して前記受信機によって受信したリソース割り当て情報を処理する、ＷＴＲＵ。
【請求項２６】
請求項２５に記載のＷＴＲＵにおいて、前記ＷＴＲＵは、前記ターゲットセルを介して、前記リソース割り当て情報に従って拡張専用チャネルを通じて通信する、ＷＴＲＵ。
【請求項２７】
請求項２４に記載のＷＴＲＵにおいて、前記プロセッサは、前記受信機によって受信した前記メッセージに応じてタイマーを開始する、ＷＴＲＵ。
【請求項２８】
請求項２４に記載のＷＴＲＵにおいて、前記受信機によって受信した前記メッセージは、ハンドオーバーメッセージである、ＷＴＲＵ。
【請求項２９】
請求項２４に記載のＷＴＲＵにおいて、前記受信機によって受信した前記メッセージは、前記ターゲットセルの識別情報を含む、ＷＴＲＵ。
【請求項３０】
請求項２４に記載のＷＴＲＵにおいて、前記プロセッサによって前記媒体アクセス制御をリセットすることは、前記ＷＴＲＵ内のハイブリッド自動再送要求バッファを前記プロセッサがフラッシングすることを含む、ＷＴＲＵ。
【請求項３１】
請求項３０に記載のＷＴＲＵにおいて、前記プロセッサによって前記媒体アクセス制御をリセットすることは、前記ＷＴＲＵ内の送信シーケンス番号を前記プロセッサがリセットすることを含む、ＷＴＲＵ。
【請求項３２】
請求項２４に記載のＷＴＲＵにおいて、前記受信したＥ−ＲＮＴＩは、無線ネットワーク制御装置によって前記ＷＴＲＵに割り当てられる、ＷＴＲＵ。
【請求項３３】
請求項２４に記載のＷＴＲＵにおいて、前記プロセッサは、前記受信機によって受信したメッセージに応じて、前記送信機に、前記ターゲットセルを介してランダムアクセスプリアンブルを送信させる、ＷＴＲＵ。
【発明の詳細な説明】
【技術分野】
【０００１】
本発明は、セル再選択の方法および装置に関する。
【背景技術】
【０００２】
ワイヤレス通信システムは、本技術分野においてよく知られている。通信規格は、ワイヤレスシステムのグローバルな接続性を提供するために、および例えば、スループット、待ち時間、カバレージに関する性能目標を達成するために開発される。広範囲に使用中の現在の規格の１つは、ＵＭＴＳ（Universal Mobile Telecommunications Systems）と呼ばれ、３Ｇ（Third Generation）無線システムの一部として開発され、３ＧＰＰ（Third Generation Partnership Project）によって維持される。
【０００３】
現在の３ＧＰＰ仕様の通りの例示的なＵＭＴＳシステムアーキテクチャを、図１に示す。ＵＭＴＳネットワークアーキテクチャは、Ｉｕインターフェースを介してＵＴＲＡＮ（ＵＭＴＳ  Terrestrial Radio Access Network）と相互接続されたコアネットワーク（ＣＮ）を含む。ＵＴＲＡＮは、Ｕｕインターフェースを介して、３ＧＰＰ規格においてＵＥ（user equipment）と呼ばれるＷＴＲＵ（wireless transmit receive unit、無線送受信ユニット）によりワイヤレス通信サービスをユーザーへ提供するよう構成される。ＵＭＴＳ規格において定義され一般的に使用されるエアインターフェースは、Ｗ−ＣＤＭＡ（wideband code division multiple access）である。ＵＴＲＡＮは、１つまたは複数のＲＮＣ（radio network controller）、および３ＧＰＰによってノードＢと呼ばれる基地局を有して、ＷＴＲＵとワイヤレス通信をするための地理的なカバレージを集合的に与える。１つまたは複数のノードＢは、Ｉｕｂインターフェースを介して各ＲＮＣに接続され、ＵＴＲＡＮ内のＲＮＣは、Ｉｕｒインターフェースを介して通信する。
【０００４】
ＵＴＲＡＮにおけるＷＴＲＵは、２つのモード、すなわちアイドルモードまたは接続モードのいずれかであるとすることができる。接続モードの間のＷＴＲＵモビリティおよびアクティビティに基づいて、ＵＴＲＡＮは、ＷＴＲＵに、例えば、ＣＥＬＬ＿ＰＣＨ、ＵＲＡ＿ＰＣＨ、ＣＥＬＬ＿ＦＡＣＨ、ＣＥＬＬ＿ＤＣＨなど、いくつかのサブ状態の間において遷移するよう指示することができる。ＷＴＲＵとＵＴＲＡＮとの間のユーザプレーン通信は、ＣＥＬＬ＿ＦＡＣＨとＣＥＬＬ＿ＤＣＨとの状態の間においてのみ許可される。Ｃｅｌｌ＿ＤＣＨの状態は、アップリンク（ＵＬ）とダウンリンク（ＤＬ）との両方において個別チャネル（ＤＣＨ）によって特徴付けられる。ＷＴＲＵ側において、これは、連続的な送受信に対応して、ユーザー電力要件を要求し続けることができる。ＣＥＬＬ＿ＦＡＣＨの状態は、ＤＣＨを使用せず、したがってアップリンクおよびダウンリンクのスループットを下げるという犠牲を払って、電力消費の改善を可能にする。
【０００５】
ＣＥＬＬ＿ＦＡＣＨは、シグナリングトラフィック（例えば、ＣＥＬＬ／ＵＲＡ  ＵＰＤＡＴＥメッセージの送信）に、およびとても低いアップリンクスループットを要するアプリケーションによく適している。ＣＥＬＬ＿ＦＡＣＨにおいて、アップリンク通信は、ＰＲＡＣＨ（packet random access channel）の物理チャネルへマッピングされるＲＡＣＨ（random access transport channel）により達成される。ＲＡＣＨは、チャネルを獲得して、送信電力を調整するパワーランプアップ（ramp-up）手順を有する競合ベースのプロトコルである。
【０００６】
ダウンリンク通信は、Ｓ−ＣＣＰＣＨ（secondary common control physical channel）にマッピングされる共有のＦＡＣＨ（Forward Access Transport Channel）、または高速ダウンリンクチャネルによる。
【０００７】
モビリティは、ＣＥＬＬ＿ＦＡＣＨにおいてＷＴＲＵによって自律的に処理される。現在のソフトハンドオーバーは、（規格のリリース６現在において）ＣＥＬＬ＿ＦＡＣＨ内に存在しない。ＷＴＲＵは、独立して測定を実行して、いつセル再選択を行うのかを決定する。
【０００８】
ＣＥＬＬ＿ＦＡＣＨの間のシステム情報は、ＢＣＨ（broadcast channel）から読み取られる。この情報は、ＣＥＬＬ＿ＦＡＣＨにおいて使用されるアップリンクＲＡＣＨ、ダウンリンクＦＡＣＨ、およびＨＳ−ＤＳＣＨ（high speed downlink shared channel）のチャネルに対するセットアップの詳細を含む。
【０００９】
標準化団体による最近の成果により、ＣＥＬＬ＿ＦＡＣＨの状態におけるＥ−ＤＣＨ（Enhanced−ＤＣＨ）の再使用を確認した。Ｅ−ＤＣＨは、アップリンクのスループットを増加させるために導入された機能である。Ｅ−ＤＣＨは、要求／許可の原理に従って作動する。ＷＴＲＵは、ＷＴＲＵが機構の組み合わせによって必要とする要求容量の表示を送信するが、ネットワークは、これらの要求への許可により応答する。一般に、これらの許可は、ノードＢのスケジューラーによって生成される。
【００１０】
同時に、ＨＡＲＱ（Hybrid Automatic Repeat Request）が、物理レイヤーの送信と関連して使用される。上述の機構を容易にするために、２つの新しいＵＬ物理チャネルが導入された。１つは、制御用のＥ−ＤＰＣＣＨ（Enhanced-Dedicated Physical Control Channel）であり、もう１つは、データ用のＥ−ＤＰＤＣＨ（Enhanced-Dedicated Physical Data Channel）である。さらに、３つの新しいＤＬ物理チャネルが導入された。２つは、許可の送信用であり、１つは、高速物理レイヤーアクノリッジメント（レイヤー１  ＡＣＫ／ＮＡＣＫ）用である。従って、ノードＢは、絶対的な許可と相対的な許可との両方を発行するように許可される。許可は、電力比に関して信号送信される。各ＷＴＲＵは、サービス中の許可を保持して、ペイロードサイズに変換することができる。リリース６のＷＴＲＵに対して、モビリティは、ソフトハンドオーバーおよびアクティブセットによってネットワークにより処理される。
【００１１】
物理レイヤーにおける新しいチャネルに加えて、さらに、Ｅ−ＤＣＨが、Ｅ−ＤＣＨを処理する新しいＭＡＣ−ｅ／ｅｓプロトコルエンティティの導入によってメディアアクセス制御（ＭＡＣ）レイヤーにおいて必要とされる。
【００１２】
ＣＥＬＬ＿ＦＡＣＨにおけるＥ−ＤＣＨの使用による関心事のうちの１つは、モビリティ手順、特に、セル再選択手順によるアップリンク手順のインタラクションである。この手順を、ＷＴＲＵの自律的なままであるとすることができるか、いくつかの点においてネットワークによりサポートすることができる。両方の場合において、ネットワークおよびＷＴＲＵのセル再選択の動作を、定義する必要がある。ＷＴＲＵ側において、動作を、ＭＡＣ−ｅ／ｅｓ（medium access control entity）、ＨＡＲＱ（hybrid automatic repeat request）バッファー、ＭＡＣ  ＴＳＮ（Transmission Sequence Number）などを取り扱うために指定しなければならない。ネットワークに関して、ＳＲＮＣ（serving radio network controller）に、新しいＥ−ＲＮＴＩ（enhanced radio network temporary identifier）がＣＲＮＣ（controlling radio network controller）によって割り当てられたときを気づかせる必要があるだろう。さらに、ネットワークは、ソースセルにおけるリソースの解放を取り扱わなければならないことがあるだろう。
【００１３】
従って、Ｃｅｌｌ＿ＦＡＣＨの状態の間においてＥ−ＤＣＨを使用する性能があるＷＴＲＵに対して再選択に取り組む方法および装置が必要である。
【発明の概要】
【００１４】
別のセルへのセル再選択を実行するよう構成された方法およびＷＴＲＵを開示する。ＷＴＲＵがＣＥＬＬ＿ＦＡＣＨの状態であるときにＥ−ＤＣＨを使用する。セル再選択を、ネットワークへ報告されるＷＴＲＵ測定に基づいてネットワークによりサポートすることができる。あるいはまた、セル再選択を、ＷＴＲＵベースであるとすることができる。
【００１５】
本方法のより詳細な理解を、例として与えられ、添付の図面とともに理解される以下の説明から得ることができる。
【図面の簡単な説明】
【００１６】
【図１】従来のＵＭＴＳネットワークのシステムアーキテクチャについての概観のブロック図である。
【図２】ワイヤレス通信システムのブロック図である。
【図３】ＣＲＮＣに含まれるＭＡＣ−ｅｓによるＣＥＬＬ＿ＵＰＤＡＴＥ手順を例示するタイミングの図である。
【発明を実施するための形態】
【００１７】
本明細書において以下に引用する場合、用語の「ＷＴＲＵ」は、ＵＥ（user equipment）、移動局、固定または移動の加入者ユニット、ページャー、携帯電話機、ＰＤＡ（personal digital assistant）、コンピューター、またはワイヤレス環境において動作する性能がある他のあらゆる型のユーザーデバイスを制限なしに含む。本明細書において以下に引用する場合、用語の「移動局」は、ノードＢ、サイトコントローラー、アクセスポイント（ＡＰ）、またはワイヤレス環境において動作する性能がある他のあらゆる型のインターフェーシングデバイスを制限なしに含む。本明細書において以下に引用する場合、用語の「Ｅ−ＤＣＨシステム情報」は、システム情報の一部としてノードＢにより報知されるＥ−ＤＣＨ情報を制限なしに含む。これは、ノードＢによって割り当てられて、ＣＥＬＬ＿ＦＡＣＨの状態におけるＷＴＲＵによって共有される共有Ｅ−ＤＣＨリソースのセットについての情報を含むことができる。用語のＥ−ＲＡＣＨ（enhanced random access channel）は、ＣＥＬＬ＿ＦＡＣＨの状態において使用される拡張されたアップリンク機構を引用して、Ｅ−ＤＣＨリソースの使用を制限なしに含む。
【００１８】
ＭＡＣレイヤーを、いくつかのエンティティに分割する。すなわち、ＭＡＣ−ｅ／ｅｓプロトコルエンティティを、Ｅ−ＤＣＨを処理するために与えるのが望ましい。一般に、表現「ＭＡＣ−ｉｓ」、「ＭＡＣ−ｉ」、および「ＭＡＣ−ｉｓ／ｉ」を、それぞれ「ＭＡＣ−ｅｓ」、「ＭＡＣ−ｅ」、および「ＭＡＣ−ｅｓ／ｅ」の代わりに使うことができる。「ＭＡＣ−ｅｓ／ｅリセット」手順を、「ＭＡＣ−ｉｓ／ｉリセット」手順と取り替えることができる。ただし、「ＭＡＣ−ｉｓ／ｉリセット」手順は、セグメンテーションバッファーがフラッシュされる追加可能なステップによる「ＭＡＣ−ｅｓ／ｅリセット」と同様の手順を引用する。
【００１９】
図２を参照して、ＨＳＰＡワイヤレス通信ネットワーク（ＮＷ）１０は、ＷＴＲＵ２０、１つまたは複数のノードＢ３０、および１つまたは複数のセル４０を含む。各セル４０は、１つまたは複数のノードＢ（ＮＢまたはｅＮＢ）３０を含む。ＷＴＲＵ２０は、本明細書において以下に開示されるセル再選択方法を実装するよう構成されるプロセッサ９を含む。
【００２０】
開示される方法の通りに、ＷＴＲＵ２０は、ＭＡＣ−ｅｓによる、ＣＣＣＨ（common control channel）データ用または共通トラフィック用に使用される、ＣＲＮＣおいて終端される、自律的なセル再選択を実行する。従って、ＭＡＣ−ｅｓエンティティは、ＷＴＲＵ２０によって使用される共通のＥ−ＤＣＨリソースセットと、またはＷＴＲＵ２０によって選択される共通のＥ−ＲＮＴＩと結びつけられる。個別トラフィック（すなわち、ＤＣＣＨまたはＤＴＣＨ）用のＭＡＣ−ｅｓを、ＳＲＮＣにおいて終端して、ＷＴＲＵ２０と結びつけるのが望ましい。あるいはまた、さらに個別トラフィック用のＭＡＣ−ｅｓをＣＲＮＣにおいて終端する。
【００２１】
本開示の方法によると、ＷＴＲＵ２０は、セル再選択の判断をするために内部測定を使用する。図３は、ターゲットセルがＣＥＬＬ＿ＦＡＣＨの状態において選択されるときにＷＴＲＵ２０が使用できる方法についての信号図である。セル再選択を実行すると決定すると、ＷＴＲＵ２０は、ソースノードＢ２２からの送受信を中止して、ＣＲＮＣ２６がＷＴＲＵ２０に割り当てた変数のＥ−ＲＮＴＩを消去する。
【００２２】
ＷＴＲＵ２０がセル再選択を実行すると決定するときをＵＬにおいて送信している場合、ターゲットセルへ移動する前に、ＷＴＲＵ２０は、アクティブであるすべてのＨＡＲＱ処理に対する送信を完了する。さらに、ＷＴＲＵ２０は、ソースセルにおいて（および適切な場合、隣接セルにおいても同様に）ＤＬのＥ−ＤＣＨチャネルを監視するのを中止することができる。
【００２３】
代替として、ＷＴＲＵ２０は、ＭＡＣ−ｅｓにおけるＣＣＣＨの論理チャネルと結びつけられるＴＳＮをリセットして、ＵＬデータがＨＡＲＱ処理に存在する場合にＨＡＲＱ処理をフラッシュすることできる。あるいはまた、ＷＴＲＵ２０は、ＭＡＣ−ｅｓ／ｅエンティティの完全なリセット（すなわち、ＴＳＮのリセット、ＨＡＲＱ処理のフラッシュ、および適切な場合あらゆる残りのセグメントの廃棄）を自律的に実行することができる。
【００２４】
次に、ＷＴＲＵ２０は、報知制御チャネル２０２においてターゲットノードＢ２２からシステム情報ブロックを受信する。Ｅ−ＤＣＨの情報要素（ＩＥ）（本明細書においてＥ−ＤＣＨシステム情報という）がターゲットセルのシステム情報ブロック（ＳＩＢ）において報知される場合、ＷＴＲＵ２０は、報知されるＥ−ＤＣＨ  ＲＡＣＨプリアンブルシーケンスを使用して、ターゲットセルにおいて新しいプリアンブル・ランプアップ・フェーズを開始する。このＥ−ＤＣＨのシステム情報の存在により、セルがＣＥＬＬ＿ＦＡＣＨにおいてＥ−ＤＣＨをサポートすることをＷＴＲＵ２０へ示す。従って、Ｅ−ＲＡＣＨアクセスを、共通の、共有の、またはランダム選択のＷＴＲＵ  ＩＤを使用して達成することができる。
【００２５】
獲得に成功した後、ＷＴＲＵ２０は、ターゲットセルにおいて使用するためのＥ−ＤＣＨリソースのセットが割り当てられる。次に、ＷＴＲＵ２０は、割り当てられたＥ−ＤＣＨリソースによりターゲットセルにおいてＣＥＬＬ＿ＵＰＤＡＴＥメッセージ２０３を、ＣＲＮＣ２６に送信する。ＣＣＣＨ用のＭＡＣ−ｅｓがＣＲＮＣ２６において終わるので、ＣＥＬＬ＿ＵＰＤＡＴＥメッセージを、ＣＲＮＣ２６が読み取って、デコードすることができる。ＷＴＲＵ２０は、Ｅ−ＤＣＨ  ｉｎ  ＣＥＬＬ＿ＦＡＣＨの性能を示すＩＥ（例えば、ＩＥ「Ｅ−ＤＣＨ  ｉｎ  ＣＥＬＬ＿ＦＡＣＨ」）をＣＥＬＬ＿ＵＰＤＡＴＥメッセージ２０３に含めることができる。このＩＥは、数え上げられたＩＥであるとすることができる。ＩＥ「Ｅ−ＤＣＨ  ｉｎ  ＣＥＬＬ＿ＦＡＣＨ」が存在する場合、ＷＴＲＵは、ＣＥＬＬ＿ＦＡＣＨにおけるＥ−ＤＣＨをサポートする。ＩＥの欠如により、ＷＴＲＵがＣＥＬＬ＿ＦＡＣＨにおいてＥ−ＤＣＨをサポートしないことを示す。あるいはまた、ＩＥ「Ｅ−ＤＣＨ  ｉｎ  ＣＥＬＬ＿ＦＡＣＨ」をＴＲＵＥまたはＦＡＬＳＥに設定することによってＷＴＲＵがＥ−ＤＣＨ  ｉｎ  ＣＥＬＬ＿ＦＡＣＨの性能を有するかどうかを示すことができる。
【００２６】
あるいはまた、Ｅ−ＤＣＨの性能は、ＣＲＮＣ２６が暗示的に検出する。ＣＲＮＣ２６がＥ−ＲＡＣＨのＩｕｂフレームプロトコルを介してＣＥＬＬ＿ＵＰＤＡＴＥ２０３メッセージを受信する場合、ＣＲＮＣ２６は、ＷＴＲＵ２０がＣＥＬＬ＿ＦＡＣＨにおいてＥ−ＤＣＨをサポートすることを暗示的に決定する。
【００２７】
あるいはまた、ＣＲＮＣ２６は、パケットがどのサブレイヤーから受信されたかを検査できる。ＭＡＣ−ｅｓエンティティから配信された場合、ＣＲＮＣ２６は、ＷＴＲＵ２０がＣＥＬＬ＿ＦＡＣＨにおけるＥ−ＤＣＨをサポートすることを決定する。もしそうでなければ、ＷＴＲＵ２０は、ＣＥＬＬ＿ＦＡＣＨにおけるＥ−ＤＣＨをサポートしない。
【００２８】
別の代替として、ソースノードＢ２４は、パケットがＥ−ＤＣＨによって受信されたことをＣＲＮＣ２６に通知する。この代替は、Ｉｕｂによる信号送信を必要とする。新しいＩｕｂメッセージを、定義することができるか、またはノードＢは、Ｉｕｂフレームによるメッセージを有する表示を含めることができる。
【００２９】
従って、ＣＲＮＣ２６がＣＥＬＬ＿ＵＰＤＡＴＥメッセージ２０３を受信して、ＣＥＬＬ＿ＦＡＣＨにおけるＥ−ＤＣＨをＷＴＲＵ２０がサポートすることを決定して、さらＣＲＮＣ２６がＣＥＬＬ＿ＦＡＣＨにおけるＥ−ＤＣＨをサポートするとき、ＣＲＮＣ２６は、新しいＥ−ＲＮＴＩをＷＴＲＵ２０へ割り当てる。次に、ＣＲＮＣ２６は、変数のＥ−ＲＮＴＩを含んでいるメッセージを、ＲＮＳＡＰ（radio network subsystem application part）ＵＬシグナリング転送２０５を介してＳＲＮＣ２８へ転送する。
【００３０】
あるいはまた、ＣＲＮＣ２６は、ＷＴＲＵ２０がＣＥＬＬ＿ＦＡＣＨにおけるＥ−ＤＣＨをサポートする表示を送信しないが、ＷＴＲＵ２０の性能に気づいているＳＲＮＣ２８に依存する。ＳＲＮＣ２８は、ＣＲＮＣ２６に、「新しいＥ−ＲＮＴＴ」をＷＴＲＵ２０に割り当てるように要求して、例えば、共通トランスポートチャネル要求を介して遂行できる。
【００３１】
ＳＲＮＣ２８は、ＷＴＲＵのＥ−ＤＣＨリソースを解放できることをソースノードＢに伝えることができる。ＭＡＣ−ｅがＷＴＲＵ毎に専用である場合、ＭＡＣ−ｅエンティティを、完全に解放できる。ＭＡＣ−ｅエンティティがＥ−ＤＣＨリソースのセット毎に存在する場合、ソースノードＢのＨＡＲＱソフトバッファーを、フラッシュするが、必ずしも解放しない。ＭＡＣ−ｅ／ｅｓリセットがセル再選択を実行するたびごとに自律的に実行される場合、さらに、再選択を実行するＷＴＲＵに結びつけられたＳＲＮＣにおけるＭＡＣ−ｅエンティティを、リセットしなければならない。
【００３２】
ＳＲＮＣ２８は、ＣＲＮＣ２６からメッセージを受信すると、ＣＥＬＬ＿ＦＡＣＨの状態において使用するための新しいＥ−ＲＮＴＩを含んでいるＣＥＬＬ＿ＵＰＤＡＴＥ＿ＣＯＮＦＩＲＭメッセージ２０６、２０７を生成する。本メッセージを、ネットワークが使用して、Ｅ−ＤＣＨリソースを割り当てることができる。あるいはまた、あらゆるＥ−ＤＣＨリソースを、ＷＴＲＵ２０が追加のトラフィックを送信する必要があるときに実行されるプリアンブル・パワー・ランプアップの後にターゲットノードＢ２２が割り当てる。
【００３３】
ＣＥＬＬ＿ＵＰＤＡＴＥ＿ＣＯＮＦＩＲＭメッセージ２０７を受信すると、ＷＴＲＵ２０は、のちのアップリンクアクセスにおいて使用するために新しいＥ−ＲＮＴＩを格納する。
【００３４】
あるいはまた、ＷＴＲＵ２０が上に開示されたようにＭＡＣ−ｅ／ｅｓリセットを自律的に実行しない場合、ネットワークは、ＷＴＲＵ２０により実行されるＭＡＣ−ｅ／ｅｓリセットを明示的に要求できる。ネットワークは、セル再選択を実行するたびごとに、再構成が生じるときに、または個別のＭＡＣ−ｅｓを解放かリセットかをする必要があるときに、ＳＲＮＳの再配置に従うＷＴＲＵ２０においてＭＡＣ−ｅ／ｅｓエンティティのリセットを要求できる。
【００３５】
本方法の通りに、ＭＡＣ−ｅ／ｅｓリセットを、ＣＥＬＬ＿ＵＰＤＡＴＥ＿ＣＯＮＦＩＲＭメッセージにおいて新しいＩＥ「ＭＡＣ−ｅ／ｅｓリセット」インジケータを追加することによって実行できる。ＷＴＲＵ２０がインジケータを受信すると、ＷＴＲＵ２０は、ＭＡＣ−ｅ／ｅｓのフルリセット（すなわち、ＴＳＮのリセットおよびＨＡＲＱ処理のフラッシュ）を実行する。適切な場合、ＷＴＲＵ２０は、ＭＡＣに残っているあらゆるセグメントを廃棄できる。さらに、ＭＡＣ−ｅ／ｅｓを、ＷＴＲＵ２０がＣＥＬＬ＿ＵＰＤＡＴＥ＿ＣＯＮＦＩＲＭを受信して、次の条件のうち少なくとも１つが真であるときにＭＡＣ−ｅ／ｅｓを自律的にリセットすることによってリセットできる。条件とは、すなわち、ＳＲＮＳの再配置が実行されて、ＩＥ「新しいＵ−ＲＮＴＩ」がＣＥＬＬ＿ＵＰＤＡＴＥ＿ＣＯＮＦＩＲＭに存在するときを検出できること、ＭＡＣプロトコルの再構成がＣＥＬＬ＿ＵＰＤＡＴＥ＿ＣＯＮＦＩＲＭ内において生じること、またはＲＬＣ（radio link control）プロトコルの再構成が生じることである。
【００３６】
上に述べたＭＡＣ−ｅ／ｅｓをリセットする方法の各々を、単独において、または互いの組み合わせにおいて実行できる。さらに、ＷＴＲＵ２０は、部分的にＭＡＣ−ｅ／ｅｓのリセットを実行することができる。ただし、ＴＳＮ数を、ＣＥＬＬ＿ＵＰＤＡＴＥ＿ＣＯＮＦＩＲＭメッセージを受信するときに論理チャネルのＣＣＣＨに対して零に設定する。
【００３７】
自律的なセル再選択についての代替の方法の通りに、ＵＴＲＡＮのＭＡＣ−ｅおよびＭＡＣ−ｅｓエンティティは、両方ともノードＢにある。結果として、ＣＥＬＬ＿ＦＡＣＨのＷＴＲＵに対するＥ−ＤＣＨ送信は、ノードＢにおいて終端する。従って、ＷＴＲＵは、セル再選択の一部として選択された新しいターゲットセルに関する内部測定に基づいてセル再選択の判断を行うように構成される。
【００３８】
ＷＴＲＵ２０は、ソースセルに対する送受信を中止して、ソースセルにおけるＤＬ  Ｅ−ＤＣＨのチャネルの監視を停止する。ＷＴＲＵがＵＬにおいて送信している場合、ターゲットセルに移動する前に、ＷＴＲＵ２０は、ＷＴＲＵ２０がセル再選択を実行することを決定するときにアクティブであるすべてのＨＡＲＱ処理についての送信を完了できる。
【００３９】
次に、ＷＴＲＵ２０は、ＭＡＣ−ｅｓ／ｅエンティティのリセット（すなわち、ＨＡＲＱバッファーのフラッシュおよびＴＳＮのゼロリセット、適切な場合、ＭＡＣ−ｅ／ｅｓエンティティにおける残りのセグメントの廃棄）を実行する。次に、変数のＥ−ＲＮＴＩを、ＷＴＲＵ２０が消去する。ターゲットノードＢは、報知制御チャネルにおいてＳＩＢ情報をＷＴＲＵ２０へ送信する。Ｅ−ＤＣＨシステム情報ＩＥをターゲットセルＳＩＢにおいて報知する場合、ＷＴＲＵ２０は、ターゲットセルにおいて新しいプリアンブル・ランプアップ・フェーズを、Ｅ−ＤＣＨプリアンブルシーケンスを使用して開始する。
【００４０】
獲得に成功した後、ＷＴＲＵ２０は、ターゲットセルにおいて使用するＥ−ＤＣＨリソースのセットを割り当てられる。衝突を解決するために、ＷＴＲＵ２０は、ＭＡＣヘッダにおいて選択される共通Ｅ−ＲＮＴＩまたはランダムＩＤを使用できる。次に、ＷＴＲＵ２０は、Ｅ−ＤＣＨ  ｉｎ  ＣＥＬＬ＿ＦＡＣＨの性能の表示を含んでいるＣＥＬＬ＿ＵＰＤＡＴＥメッセージを、ターゲットセルにより無線ネットワーク制御コントローラーへ送信する。ターゲットセルのＣＲＮＣは、ＣＥＬＬ＿ＵＰＤＡＴＥメッセージを受信して、ＣＥＬＬ＿ＦＡＣＨにおけるＥ−ＤＣＨがサポートされるとき、ＣＲＮＣは、Ｅ−ＲＮＴＩを割り当てる。次に、ＣＲＮＣは、変数Ｅ−ＲＮＴＩを含んでいるメッセージを、ＲＮＳＡＰのＵＬシグナリング転送を介してＳＲＮＣへ転送する。
【００４１】
あるいはまた、ＷＴＲＵ２０は、ＣＥＬＬ＿ＵＰＤＡＴＥメッセージにおいてＥ−ＤＣＨ  ｉｎ  ＣＥＬＬ＿ＦＡＣＨの性能を送信しない。しかしＳＲＮＣは、ＷＴＲＵの性能に気づいているので、ＣＲＮＣに、新しいＥ−ＲＮＴＩをＷＴＲＵ２０に対して割り当てるよう要求する。これを、共通トランスポートチャネル要求を介して行うことができる。ＣＲＮＣは、応答メッセージにおいて新しいＥ−ＲＮＴＩを与える。あるいはまた、Ｅ−ＤＣＨの性能を、ＣＲＮＣによって暗示的に検出することができる。ＣＲＮＣがＥ−ＲＡＣＨのＩｕｂフレームプロトコルを介してＣＥＬＬ＿ＵＰＤＡＴＥを受信する場合、ＣＲＮＣは、ＷＴＲＵがＣＥＬＬ＿ＦＡＣＨにおけるＥ−ＤＣＨをサポートすることを暗示的に決定できる。オプションとして、ＣＲＮＣは、パケットがどのサブレイヤーから受信されたかを検査できる。ＭＡＣ−ｅｓエンティティから配信された場合、ＷＴＲＵは、ＣＥＬＬ＿ＦＡＣＨにおけるＥ−ＤＣＨをサポートし、もしそうでなければ、ＷＴＲＵはサポートしない。
【００４２】
あるいはまた、ノードＢは、パケットがＥ−ＤＣＨにより受信されたことをＣＲＮＣに通知することができる。これは、Ｉｕｂによるシグナリングを必要とする。新しいＩｕｂメッセージを、定義することができ、あるいはまた、ノードＢは、Ｉｕｂフレームによるメッセージを有する表示を含めることができる。
【００４３】
オプションとして、ＳＲＮＣは、ソースノードＢに、ＷＴＲＵからのＥ−ＤＣＨリソースを解放することができることを伝える。さらに、ソースノードＢは、ＵＴＲＡＮ  ＭＡＣ−ｅおよびＭＡＣ−ｅｓをリセットして、ソースセルにおけるＨＡＲＱのソフト・メモリ・バッファーをフラッシュすることができる。
【００４４】
ＳＲＮＣは、ＣＥＬＬ＿ＵＰＤＡＴＥ＿ＣＯＮＦＩＲＭメッセージを生成するのが望ましい。ただし、ＣＥＬＬ＿ＵＰＤＡＴＥ＿ＣＯＮＦＩＲＭメッセージは、ＣＥＬＬ＿ＦＡＣＨの状態において使用される「新しいＥ−ＲＮＴＩ」をオプションとして含む。オプションとして、ネットワークは、このメッセージを使用して、Ｅ−ＤＣＨリソースの異なるセットを割り当てることができる。
【００４５】
ＣＥＬＬ＿ＵＰＤＡＴＥ＿ＣＯＮＦＩＲＭを受信すると、ＷＴＲＵは、「新しいＥ−ＲＮＴＩ」を格納して、それをのちのアップリンクアクセスのために使用する。
【００４６】
あるいはまた、ネットワークは、ＭＡＣ−ｅｓ／ｅリセットインジケータをＣＥＬＬ＿ＵＰＤＡＴＥ＿ＣＯＮＦＩＲＭメッセージに含めることができる。
【００４７】
自律的なセル再選択の別の代替方法の通りに、ＷＴＲＵのＣＥＬＬ＿ＦＡＣＨに対するＥ−ＤＣＨは、ＳＲＮＣにおいて終端するが、ＣＥＬＬ＿ＵＰＤＡＴＥメッセージは、レガシー（リリース９９）のＲＡＣＨにより送信される。
【００４８】
ＵＴＲＡＮ  ＭＡＣ−ｅｓエンティティは、本方法の通りに、ＳＲＮＣに配置されて、個々のＷＴＲＵに結びつけられる。ＷＴＲＵを、ターゲットセルにおいて拡張されたＲＡＣＨによりＣＥＬＬ＿ＵＰＤＡＴＥメッセージを送信する代わりにＣＥＬＬ＿ＵＰＤＡＴＥメッセージを送信するレガシーのＲＡＣＨ手順を使用して、セル再選択を実行するよう構成する。これによって、ＷＴＲＵに、ＭＡＣ−ｅ／ｅｓエンティティをリセットすることなしに（すなわち、ＷＴＲＵは、ＨＡＲＱバッファーをフラッシュして、ＴＳＮ数をゼロリセットする必要がない）セル再選択を受けることを可能にして、セル再選択後に継続してＴＳＮをインクリメントすることを可能にする。さらに、これによって、ＷＴＲＵに、セル再選択が実行されている間のＥ−ＤＣＨ送信を一時的に中断して、再選択後に送信を再開することを可能にする。
【００４９】
上に開示したように、ＷＴＲＵは、内部測定に基づいてセル再選択の判断をすることができる。内部測定の結果として新しいターゲットセルを選択する場合、ＷＴＲＵは、ソースセルにおける送信を停止する。データがＨＡＲＱ処理において利用可能である場合、ＷＴＲＵは、ＷＴＲＵがターゲットセルにおいて同じＨＡＲＱ処理を継続することができるように、ＨＡＲＱ処理についての送信を停止する。あるいはまた、ＨＡＲＱ処理のデータを、フラッシュする。
【００５０】
ＷＴＲＵがＵＬにおいて送信している場合、ターゲットセルに移動する前に、ＷＴＲＵは、ＷＴＲＵがセル再選択を実行することを決定するときにアクティブであるすべてのＨＡＲＱ処理についての送信を完了できる。
【００５１】
次に、ＷＴＲＵは、ソースセルにおけるＤＬ  Ｅ−ＤＣＨチャネルおよび他のダウンリンクリソースを監視するのを中止して、変数のＥ−ＲＮＴＩを消去する。
【００５２】
次に、ＷＴＲＵは、ＳＩＢからターゲットセルのＰＲＡＣＨ情報およびＤＬ情報を受信して、ＣＥＬＬ＿ＵＰＤＡＴＥメッセージを送信する。ＣＥＬＬ＿ＵＰＤＡＴＥメッセージは、ターゲットセルについてのリリース９９のＲＡＣＨによりＥ−ＤＣＨ  ｉｎ  ＣＥＬＬ＿ＦＡＣＨの性能の表示を含むことができる。ＣＥＬＬ＿ＵＰＤＡＴＥメッセージを、ＣＲＮＣが受信して、ＳＲＮＣへ転送する。ＣＲＮＣは、ＣＥＬＬ＿ＵＰＤＡＴＥを受信して、ＷＴＲＵがＥ−ＤＣＨ  ｉｎ  ＣＥＬＬ＿ＦＡＣＨの性能がある時にＥ−ＲＮＴＩを割り当てる。次に、ＣＲＮＣは、変数のＥ−ＲＮＴＩを含んでいるメッセージを、ＲＮＳＡＰ  ＵＬシグナリング転送を介してＳＲＮＣへ転送する。代替として、ＷＴＲＵは、ＣＥＬＬ＿ＵＰＤＡＴＥにおいてＥ−ＤＣＨ  ｉｎ  ＣＥＬＬ＿ＦＡＣＨの性能を送信しない。ＳＲＮＣがＷＴＲＵの性能に気づいているので、ＳＲＮＣは、ＣＲＮＣに、新しいＥ−ＲＮＴＩをＷＴＲＵに対して割り当てるよう要求して、共通トランスポートチャネル要求を介して遂行できる。従って、ＣＲＮＣは、応答メッセージにおいて新しいＥ−ＲＮＴＩを与えて、ＳＲＮＣは、Ｅ−ＲＮＴＩをＣＥＬＬ  ＵＰＤＡＴＥ  ＣＯＮＦＩＲＭに含める。
【００５３】
ＳＲＮＣは、ＣＥＬＬ＿ＵＰＤＡＴＥ＿ＣＯＮＦＩＲＭメッセージを生成して、個別のＥ−ＤＣＨリソースに割り当てるためにネットワークが使用することができる。あるいはまた、あらゆるＥ−ＤＣＨリソースを、ＷＴＲＵが追加のトラフィックを送信する必要があるときにプリアンブル・パワー・ランプアップを実行した後にターゲットノードＢが割り当てることができる。ＣＥＬＬ＿ＵＰＤＡＴＥ＿ＣＯＮＦＩＲＭメッセージは、ＷＴＲＵ用の「新しいＥ−ＲＮＴＩ」を含むことができる。
【００５４】
次に、ＳＲＮＣは、ソースノードＢに、ＷＴＲＵのＥ−ＤＣＨリソースを解放することができることを通知する。ＭＡＣ−ｅがＷＴＲＵ毎に専用である場合、さらに、ＭＡＣ−ｅエンティティを、完全に解放する。ＭＡＣ−ｅエンティティがＥ−ＤＣＨリソースのセット毎に存在する場合、ソースノードＢのＨＡＲＱのソフトバッファーを、フラッシュする。
【００５５】
ＣＥＬＬ＿ＵＰＤＡＴＥ＿ＣＯＮＦＩＲＭメッセージを受信すると、ＷＴＲＵは、のちのアップリンクアクセスのために新しいＥ−ＲＮＴＩを格納する。
【００５６】
ネットワークは、ＷＴＲＵが実行するＭＡＣ−ｅ／ｅｓリセットを明示的に要求できる。ネットワークは、ＳＲＮＳ再配置の発生、セル再選択の実行、および再構成の発生に従うＷＴＲＵにおけるＭＡＣ−ｅ／ｅｓエンティティのリセットを要求できる。
【００５７】
本方法の通りに、ＭＡＣ−ｅ／ｅｓリセットを、ＣＥＬＬ＿ＵＰＤＡＴＥ＿ＣＯＮＦＩＲＭメッセージにおいて新しいＩＥ「ＭＡＣ−ｅ／ｅｓリセット」インジケータを追加することによって実行できる。ＷＴＲＵがインジケータを受信すると、ＷＴＲＵは、ＭＡＣ−ｅ／ｅｓのフルリセット（すなわち、ＴＳＮのリセット、ＨＡＲＱ処理のフラッシュ）を実行する。適切な場合、ＷＴＲＵ２０は、ＭＡＣにおいて残っているあらゆるセグメントを廃棄できる。さらに、ＭＡＣ−ｅ／ｅｓは、リオーダーするために使用されるＴＳＮを変えることなしにＨＡＲＱバッファーをフラッシュのみする特別なリセットを送信することによってリセットをすることができる。ＨＡＲＱバッファーにあるＭＡＣ−ｅプロトコル・データ・ユニット（ＰＤＵ）は、ある上位レイヤープロトコルからの再送信を必要とするであろう。
【００５８】
あるいはまた、ＳＲＮＳは、ターゲットセルにおいて現在アクティブなすべてのＨＡＲＱ処理を再開始することをＷＴＲＵに伝える特別なリセット信号を送信することができる。次に、ネットワークは、ソースセルにおけるＥ−ＤＣＨリソースを解放することができることをソースノードＢに通知する。さらに、ネットワークは、ターゲットセルにおいてＥ−ＤＣＨリソースを準備することができる。
【００５９】
あるいはまた、ＷＴＲＵは、すべてのＨＡＲＱ処理についての送信を完了した後にリセットを（上に強調されるリセットオプションのどれでも使用して）自律的に実行することができる。
【００６０】
自律的なセル再選択の別の代替方法の通りに、ＣＥＬＬ＿ＦＡＣＨのＥ−ＤＣＨは、すべてのデータに対してＳＲＮＣにおいて終端する。本方法の通りに、ＭＡＣ−ｅｓは、ＣＣＣＨを含むすべての型のデータトラフィックに対してＳＲＮＣにおいて終端して、ＣＥＬＬ＿ＵＰＤＡＴＥメッセージを、ＳＲＮＣのＭＡＣ−ｅｓにおいて受信してデコードする。上述の方法において開示されたように、ＷＴＲＵがＣＥＬＬ＿ＵＰＤＡＴＥメッセージを送信する前の初期のステップは、同じである。
【００６１】
いったんＣＥＬＬ＿ＵＰＤＡＴＥメッセージをＳＲＮＣが受信すると、ＳＲＮＣは、要求をＣＲＮＣに送信して、少なくともＣ−ＲＮＴＩと、（ＣＥＬＬ＿ＦＡＣＨ／ＰＣＨにおけるＨＳ−ＤＳＣＨをサポートする場合の）Ｈ−ＲＮＴＩと、（ＣＥＬＬ＿ＦＡＣＨ／ＰＣＨにおけるＥ−ＤＣＨをサポートする場合の）Ｅ−ＲＮＴＩと、ＵＬシグナリング転送においてＣＲＮＣが提供する他の情報とを割り当てる。要求を、新しいＲＮＳＡＰメッセージを導入することによって、または例えば共通トランスポートチャネル要求などの既存のＲＮＳＡＰ手順を使用することによって送信することができる。
【００６２】
ＣＲＮＣは、要求された情報によりＳＲＮＣへ応答して、ＵＬシグナリング転送表示を使用してまたは共通トランスポートチャネル応答メッセージを介して送信することができる。次に、ＳＲＮＣは、ＣＥＬＬ＿ＵＰＤＡＴＥ＿ＣＯＮＦＩＲＭメッセージをＷＴＲＵへ送信する。ＣＥＬＬ＿ＵＰＤＡＴＥ＿ＣＯＮＦＩＲＭに従う手順は、上に開示された方法において説明した手順と同様である。
【００６３】
自律的なセル再選択の上に開示された方法のすべてに対して、ＳＲＮＣは、Ｅ−ＤＣＨリソースをＷＴＲＵへ割り当てるオプションを有する。Ｅ−ＤＣＨリソースのセットを、ＣＥＬＬ＿ＵＰＤＡＴＥ＿ＣＯＮＦＩＲＭメッセージにおいて信号送信して提供することができるか、またはＣＥＬＬ＿ＵＰＤＡＴＥ＿ＣＯＮＦＩＲＭを使用してＳＩＢにおいて報知されたリソースのセットのうちの１つに対する指標として信号送信することができる。次に、ＷＴＲＵは、そのリソースのセットを使用して、ＣＥＬＬ＿ＦＡＣＨにおいてアップリンクデータを送信することができる。
【００６４】
ＳＲＮＣは、して、セル再選択が実行されるたびごとか、またはＷＴＲＵが送信する追加のデータを有するときかにこれらのリソースをＷＴＲＵへ与えることを選択することができる。後者のシナリオの通りに、ＷＴＲＵは、ＣＥＬＬ＿ＵＰＤＡＴＥメッセージに、他の追加のデータ量およびそれらが属する論理チャネルの表示を含めることができる。あるいはまた、ＷＴＲＵは、ＷＴＲＵが送信する他のデータを有するだけの表示を信号送信することができる。次に、ＲＮＣは、この情報を使用して、ＷＴＲＵがＥ−ＤＣＨアップリンクリソースを必要とするかどうかを判断することができる。ＷＴＲＵが送信する追加のデータがない場合、ＲＮＣは、ターゲットノードＢにおいて転送チャネルおよび物理チャネルリソースをセットする。ＲＮＣは、ＷＴＲＵへどんなＥ−ＤＣＨリソースも信号送信しない。
【００６５】
代替的なネットワーク支援によるセル再選択方法を開示するが、ネットワークは、セル再選択の制御を有するのが望ましい。本方法の通りに、ＷＴＲＵは、チャネル品質を測定して、これらの測定値を、測定報告を介してネットワークに提供する。起動する基準を、ＣＥＬＬ＿ＦＡＣＨのＷＴＲＵに対して定義して、これらの測定報告を送信する。次に、ネットワークは、受信した測定値に基づいて、セル再選択を制御する。
【００６６】
ネットワークは、代替においてノードＢから取得された測定値に基づいてセル再選択を開始できる。セル再選択に対する条件を満たす場合、ネットワークは、ＷＴＲＵをターゲットセルにおけるＣＥＬＬ＿ＤＣＨへ移動させるか、またはＷＴＲＵをターゲットセルにおけるＣＥＬＬ＿ＦＡＣＨのままにするかを判断できる。本代替において、ＷＴＲＵは、ＣＥＬＬ＿ＦＡＣＨのままである。ネットワークは、ＲＲＣメッセージを、ＷＴＲＵに対するソースセル中に送信する。ＷＴＲＵは、ＲＲＣメッセージの受信に応答して、ソースセルにおける送信を停止して、ソースセルにおけるＤＬ  Ｅ−ＤＣＨチャネルの監視を中止する。次に、Ｅ−ＤＣＨリソースを、例えばパワーランプアップ手順を使用して、ターゲットセルにおいて再度獲得する。次に、ＷＴＲＵは、ＲＲＣメッセージにおいてＭＡＣ−ｅｓ／ｅリセットインジケータを送信することによって、ＭＡＣ−ｅｓ／ｅエンティティおよび／またはＨＡＲＱ処理をリセットして、ＭＡＣ−ｅｓ／ｅのフルリセット手順（すなわち、ＨＡＲＱのフラッシュおよびＴＳＮのゼロリセット）を実行する。
【００６７】
さらに、ＭＡＣ−ｅｓ／ｅエンティティを、リオーダーするために使用されるＴＳＮを変えることなしにＨＡＲＱバッファーをフラッシュのみする特別なリセットを実行することによってリセットすることができる。ＨＡＲＱバッファーにあるＭＡＣ−ｅ  ＰＤＵは、ある上位レイヤープロトコルからの再送信を必要とするであろう。特別なリセットを、ハンドオーバーをオーダーするＲＲＣメッセージのうちの１つにおける特別なビットとして表示できるか、またはＣＥＬＬ＿ＦＡＣＨにおけるＥ−ＤＣＨを使用するＷＴＲＵに対してセル再選択手順において指定できる。例えば、Ｅ−ＤＣＨを使用するＷＴＲＵは、ＷＴＲＵがＣＥＬＬ＿ＦＡＣＨまたはＣＥＬＬ＿ＰＣＨにある間にセル再選択が生じるたびごとに特別なリセットを実行する。ＳＲＮＳ再配置がセル再選択とともに生じる場合、ＷＴＲＵは、ＭＡＣ−ｅ／ｅｓのフルリセットを実行する必要がある。
【００６８】
ＭＡＣエンティティをリセットする別の方法は、特別なリセット信号をＷＴＲＵに送信して、ターゲットセルにおいてすべてのアクティブなＨＡＲＱ処理を再開始することをＷＴＲＵに通知する。ＲＮＣは、ソースノードＢに、古い接続が終わることを伝えて、ターゲットノードＢに、やって来る接続をセットするよう通知する。
【００６９】
あるいはまた、ネットワークは、ターゲットセルにおいてＥ−ＤＣＨリソースをあらかじめ割り当てて、この割り当て情報をＲＲＣメッセージにおいて提供することができる。
【００７０】
あるいはまた、ソースノードＢは、ＷＴＲＵに、送信の停止を（すなわち、ゼログラント(zero grant)を介して）送信することができる。次に、ＷＴＲＵは、この信号を受信するとセル再選択を開始する。
【００７１】
自律的／ネットワーク混合のセル再選択の代替方法において、ＷＴＲＵは、セル再選択基準を使用してターゲットセルへのハンドオーバーを実行する判断をする。上に開示したように、ターゲットセルのシステム情報を獲得してＣＥＬＬ＿ＵＰＤＡＴＥメッセージをターゲットセルへ送信する代わりに、ＷＴＲＵは、望まれるターゲットセルの表示を有するＣＥＬＬ＿ＵＰＤＡＴＥを、ソースセルへ送信する。ＣＥＬＬ＿ＵＰＤＡＴＥメッセージは、ターゲットセルのセルＩＤを含む。
【００７２】
ソースノードＢがＣＥＬＬ＿ＵＰＤＡＴＥを受信すると、メッセージを、ＲＮＣへ転送する。次に、ＲＮＣは、ターゲットセルにおいてＥ−ＤＣＨリソースをセットして、ＣＥＬＬ＿ＵＰＤＡＴＥ＿ＣＯＮＦＩＲＭにおいて指定されるリソースであるか、または報知されるＥ−ＤＣＨリソースのセットのうちの１つに対する指標であるとすることができる。ＣＥＬＬ＿ＵＰＤＡＴＥメッセージを送信した後に、ＷＴＲＵは、システム情報報知を読み取って、ターゲットセルに接続してＣＥＬＬ＿ＵＰＤＡＴＥ＿ＣＯＮＦＩＲＭメッセージを受信する。確認メッセージをＷＴＲＵが受信せずにＣＥＬＬ＿ＵＰＤＡＴＥのタイマーが満了した場合、ＷＴＲＵは、ＲＡＣＨアクセスを開始することによってターゲットセルにわたってＣＥＬＬ＿ＵＰＤＡＴＥを送信することを再試行する。
【００７３】
ＷＴＲＵは、最初のＣＥＬＬ＿ＵＰＤＡＴＥをソースノードＢにわたって送信するか、またはターゲートノードＢにわたって送信するかを選択するオプションを有するこができる。ＷＴＲＵは、ＣＥＬＬ＿ＵＰＤＡＴＥをソースノードＢにわたって送信するために選択する次の条件のうちの１または複数を使用することができる。条件とは、すなわち、ＷＴＲＵがソースノードＢにおいてＣＥＬＬ＿ＦＡＣＨに割り当てられた専用のＥ−ＤＣＨリソースを有すること、ＷＴＲＵがセル再選択を開始する前にＵＬ送信のためのＲＡＣＨアクセスを与えられているので、ＷＴＲＵが残りの時間に対して与えられたリソースを依然として使用できること、ＷＴＲＵがソースセルにわたってＣＥＬＬ＿ＵＰＤＡＴＥを常に送信すること、またはＷＴＲＵがＣＥＬＬ＿ＵＰＤＡＴＥ以外に送信するデータを有することである。
【００７４】
ＣＥＬＬ＿ＵＰＤＡＴＥメッセージを受信すると、ＳＲＮＣは、ＳＩＢにおいて報知されたリソースのセットまたはそのリソースのセットに対する指標をＷＴＲＵに与えるオプションを有する。ＲＮＣは、セル再選択が実行されるたびごとに、またはＷＴＲＵが送信する追加のデータを有するときにこれらのリソースをＷＴＲＵに与えることを選択することができる。ＷＴＲＵは、ＣＥＬＬ＿ＵＰＤＡＴＥに、他の追加のデータ量およびそれらが属する論理チャネルの表示を含めることができる。あるいはまた、ＷＴＲＵは、ＷＴＲＵが送信する他のデータを有する表示を信号送信する。
【００７５】
次に、ＲＮＣは、この情報を使用して、ＷＴＲＵがＥ−ＤＣＨアップリンクリソースを必要とするかどうかを判断する。ＷＴＲＵによって送信される追加のデータがない場合、ＲＮＣは、ターゲットノードＢにおける転送チャネルおよび物理チャネルリソースをセットするが、ＷＴＲＵへどんなＥ−ＤＣＨリソースも信号送信しない。
【００７６】
あるいはまた、ネットワークは、ソースセルにおけるＣＥＬＬ＿ＵＰＤＡＴＥ＿ＣＯＮＦＩＲＭ（または他のＲＲＣメッセージ）により応答して、ターゲットセルにおいて使用するリソースを提供する。ＷＴＲＵは、物理チャネルの再構成が完了したことをネットワークに通知するメッセージにより応答できる。ネットワークは、ソースセルにおける送信を停止してソースセル／ノードＢにおけるすべてのＭＡＣ  ｅ／ｅｓリソースを解放するための表示として本メッセージを使用すべきである。
【００７７】
タイマーを、セル更新メッセージを送信すると開始するのが望ましい。不成功の場合またはネットワークがＲ７のようなＣＥＬＬ＿ＵＰＤＡＴＥ＿ＣＯＮＦＩＲＭにより応答する場合、ＷＴＲＵは、ソースセルと通信する試みをアボートして上に開示した方法において説明した手順のうちの１つまたは組み合わせを使用してＣＥＬＬ＿ＵＰＤＡＴＥをターゲットセルにわたる送信を試みるべきである。
【００７８】
（実施形態）
１．ＷＴＲＵにおいてセル再選択を実行するための方法であって、
内部測定に少なくとも基づいてターゲットセルを再選択するかどうかを判定すること、
セル再選択を自律的に実行すること、
セル再選択が判定されると変数のＥ−ＲＮＴＩを消去すること
を備えた方法。
２．ターゲットセルから報知システム情報を受信すること、
システム情報によりターゲットセルのＥ−ＤＣＨ  ｉｎ  ＣＥＬＬ＿ＦＡＣＨの性能を判定すること
をさらに備える実施形態１の方法。  
３．ＷＴＲＵのＥ−ＤＣＨ  ｉｎ  ＣＥＬＬ＿ＦＡＣＨの性能の表示を含んでいる更新メッセージを送信することをさらに備えた実施形態２の方法。  
４．Ｅ−ＤＣＨ  ｉｎ  ＣＥＬＬ＿ＦＡＣＨの性能の表示は、ＩＥである実施形態３の方法。
５．Ｅ−ＲＮＴＩを含んでいる確認メッセージを受信することをさらに備えた実施形態１の方法。  
６．更新メッセージは、追加のＥ−ＤＣＨリソースの割り当てを要求する表示をさらに含む実施形態３の方法。  
７．アップリンク送信のために確認メッセージに割り当てられたＥ−ＤＣＨリソースを使用することをさらに備えた実施形態６の方法。  
８．ＷＴＲＵは、セル再選択をするとＭＡＣ−ｅ／ｅｓリセットを自律的に実行する実施形態１の方法。  
９．ＷＴＲＵは、確認メッセージのリセットの表示を受信するとＭＡＣ−ｅ／ｅｓリセットを実行する実施形態５の方法。  
１０．ＷＴＲＵは、確認メッセージのリセット表示を受信するとＭＡＣ−ｅ／ｅｓリセットを部分的に実行する実施形態５の方法。  
１１．ＷＴＲＵは、Ｅ−ＤＣＨ  ｉｎ  ＣＥＬＬ＿ＦＡＣＨの性能を示す新しいＩＥをＣＥＬＬ＿ＵＰＤＡＴＥメッセージに含める上記実施形態のいずれかにおける方法。  
１２．ＩＥは、数え上げられたＩＥである実施形態１１の方法。  
１３．ＩＥは、ＷＴＲＵがＣＥＬＬ＿ＦＡＣＨにおいてＥ−ＤＣＨをサポートすることを示す実施形態１１の方法。  
１４．ＩＥは、ＴＲＵＥまたはＦＡＬＳＥに設定される実施形態１１の方法。  
１５．ＷＴＲＵは、ＣＥＬＬ＿ＵＰＤＡＴＥにおいてＥ−ＤＣＨ  ｉｎ  ＣＥＬＬ＿ＦＡＣＨの性能を送信しない上記実施形態のいずれかにおける方法。  
１６．ＷＴＲＵは、アップリンクに送信している間、ターゲットセルに移動する前にセル再選択が実行されると判定する時にアクティブであるすべてのＨＡＲＱ処理についての送信を完了する上記実施形態のいずれかにおける方法。  
１７．ＷＴＲＵは、ＭＡＣ−ｅ／ｅｓにおけるＣＣＣＨ論理チャネルに結びつけられたＴＳＮをリセットして、アップリンクデータがＨＡＲＱ処理に存在する場合にＨＡＲＱ処理をフラッシュする上記実施形態のいずれかにおける方法。  
１８．残りのあらゆるセグメントを廃棄する実施形態１７の方法。  
１９．ＷＴＲＵは、ＭＡＣ−ｅ／ｅｓエンティティのリセットを自律的に実行する上記実施形態のいずれかにおける方法。  
２０．ＷＴＲＵは、Ｅ−ＤＣＨ情報がターゲットセルのＳＩＢにおいて報知されるときに報知されるＥ−ＤＣＨ  ＲＡＣＨプリアンブルシーケンスを使用してターゲットセルにおいて新しいプリアンブル・ランプアップ・フェーズを開始する上記実施形態のいずれかにおける方法。  
２１．ＭＡＣ−ｅ／ｅｓリセットを実行することは、新しいＩＥ「ＭＡＣ−ｅ／ｅｓリセット」インジケータをＣＥＬＬ＿ＵＰＤＡＴＥ＿ＣＯＮＦＩＲＭメッセージに加えることを含む上記実施形態のいずれかにおける方法。  
２２．ＷＴＲＵは、「ＭＡＣ−ｅ／ｅｓリセット」インジケータを受信するとＭＡＣ−ｅ／ｅｓのフルリセットを実行する上記実施形態のいずれかにおける方法。  
２３．「ＭＡＣ−ｅ／ｅｓリセット」インジケータは、ＩＥ「Ｅ−ＤＣＨ情報」に含まれる上記実施形態のいずれかにおける方法。  
２４．ＷＴＲＵは、ＷＴＲＵがＣＥＬＬ＿ＵＰＤＡＴＥ＿ＣＯＮＦＩＲＭメッセージを受信してＳＲＮＳ（service radio network subsystem）再配置が実行されたときに、ＭＡＣ−ｅ／ｅｓリセットを自律的に実行する上記実施形態のいずれかにおける方法。  
２５．ＷＴＲＵは、ＷＴＲＵがＣＥＬＬ＿ＵＰＤＡＴＥ＿ＣＯＮＦＩＲＭメッセージを受信してＭＡＣプロトコルの再構成がＣＥＬＬ＿ＵＰＤＡＴＥ＿ＣＯＮＦＩＲＭメッセージ内において生じるときに、ＭＡＣ−ｅ／ｅｓリセットを自律的に実行する上記実施形態のいずれかにおける方法。  
２６．ＷＴＲＵは、ＷＴＲＵがＣＥＬＬ＿ＵＰＤＡＴＥ＿ＣＯＮＦＩＲＭメッセージおよびＲＬＣプロトコルの再構成を受信するときに、ＭＡＣ−ｅ／ｅｓリセットを自律的に実行する上記実施形態のいずれかにおける方法。  
２７．ＷＴＲＵは、ＣＥＬＬ＿ＵＰＤＡＴＥ＿ＣＯＮＦＩＲＭメッセージを受信するときに、ＣＣＣＨ論理チャネルに対してＴＳＮ数をゼロにリセットする上記実施形態のいずれかにおける方法。  
２８．ＷＴＲＵは、ＣＥＬＬ＿ＵＰＤＡＴＥ＿ＣＯＮＦＩＲＭメッセージにおいてリソースのセットを受信する上記実施形態のいずれかにおける方法。  
２９．リソースのセットは、専用のＥ−ＤＣＨリソースを含む実施形態２８の方法。  
３０．リソースのセットは、ＳＩＢにおいて報知されたリソースのセットのうち１つに対する指標を含む実施形態２８の方法。  
３１．ＷＴＲＵは、専用のＥ−ＤＣＨリソースのセットを使用して、ＣＥＬＬ＿ＦＡＣＨにおいてアップリンクデータを送信する実施形態２９の方法。  
３２．ＷＴＲＵは、セル再選択が実行されるたびごとにリソースのセットを受信する実施形態２８−３１の方法。  
３３．ＷＴＲＵは、ＷＴＲＵが送信する追加のデータを有するときにリソースのセットを受信する実施形態２８−３２の方法。  
３４．ＷＴＲＵは、他の追加のデータ量およびそれらがどの論理チャネル属するかの表示をＣＥＬＬ＿ＵＰＤＡＴＥにより送信する実施形態２８−３３の方法。  
３５．ＷＴＲＵは、ＷＴＲＵが送信する他のデータを有するという表示を信号送信する実施形態２８−３４の方法。  
３６．ネットワークにより支援されるセル再選択のための方法であって、
ＷＴＲＵにおいてチャンネル品質の測定を行うこと、
測定報告を生成すること、
測定報告を送るためにＣＥＬＬ＿ＦＡＣＨに対して新しい起動基準をＷＴＲＵに使用すること、
前記測定報告をネットワークへ送信すること
を備えた方法。  
３７．ネットワークは、受信された測定値に基づいてセル再選択を制御する実施形態３６の方法。  
３８．ネットワークは、ノードＢから取得された測定値に基づいてセル再選択を開始する実施形態３６の方法。  
３９．ＷＴＲＵは、ターゲットセルにおいてＣＥＬＬ＿ＤＣＨへ移動する実施形態３６−３８のいずれかにおける方法。  
４０．ＷＴＲＵは、ターゲットセルにおいてＣＥＬＬ＿ＦＡＣＨのままである実施形態３６−３８のいずれかにおける方法。  
４１．ＷＴＲＵによってソースセルを介してＲＲＣメッセージを受信することをさらに備えた実施形態４０の方法。  
４２．ＲＲＣメッセージは、ソースセルに送信することを停止するようＷＴＲＵに指示する実施形態４１の方法。  
４３．ＲＲＣメッセージは、ソースセルにおいてＤＬ  Ｅ−ＤＣＨチャネルを監視することを停止するようＷＴＲＵに指示する実施形態４１の方法。  
４４．ＲＲＣメッセージは、パワーランプアップ手順を使用して、ターゲットセルにおいてＥ−ＤＣＨリソースを再獲得するようＷＴＲＵに指示する実施形態４１の方法。  
４５．ＲＲＣメッセージは、リセットを実行するようＷＴＲＵに指示する実施形態４１の方法。  
４６．リセットは、ＭＡＣ−ｅ／ｅｓエンティティをリセットすることを含む実施形態４５の方法。  
４７．リセットは、ＨＡＲＱ処理をリセットすることを含む実施形態４５−４６の方法。
４８．リセットは、ＲＲＣにおいてＭＡＣ−ｅ／ｅｓリセットインジケータを送信すること、およびＭＡＣ−ｅ／ｅｓフルリセット手順を実行することを含む実施形態４５の方法。
４９．リセットは、リオーダーするために使用されるＴＳＮを変えることなしにＨＡＲＱバッファーをフラッシュする特別なリセットを実行することを含む実施形態４５−４８の方法。
５０．特別なリセットは、ハンドオーバーをオーダーするＲＲＣメッセージのうち１つの特別なビットとして表示される実施形態４９の方法。  
５１．特別なリセットは、ＣＥＬＬ＿ＦＡＣＨにおけるＥ−ＤＣＨを使用するＷＴＲＵに対するセル再選択手順において指定される実施形態４９の方法。  
５２．Ｅ−ＤＣＨを使用するＷＴＲＵは、Ｅ−ＤＣＨを使用するＷＴＲＵがＣＥＬＬ＿ＦＡＣＨまたはＣＥＬＬ＿ＰＣＨにある間、セル再選択が生じるたびごとに特別なリセットを実行する実施形態５１の方法。  
５３．ＷＴＲＵは、ＳＲＮＳ再配置がセル再選択と一緒に生じるときに、ＭＡＣ−ｅ／ｅｓフルリセットを実行する実施形態４５−５２の方法。  
５４．リセットは、ターゲットセルにおいてアクティブなすべてのＨＡＲＱ処理を再開始することをＷＴＲＵに伝える特別なリセット信号を受信することを含む実施形態４５−５３の方法。  
５５．ネットワークは、ターゲットセルにおいてＥ−ＤＣＨリソースをあらかじめ割り当てて、ＲＲＣメッセージにおいて割り当て情報を提供する実施形態４５−５４の方法。  
５６．ＷＴＲＵは、物理チャネルの再構成が完了したことをネットワークに通知するメッセージを送信する上記実施形態のいずれかにおける方法。  
５７．ＣＥＬＬ＿ＵＰＤＡＴＥメッセージを送信するとタイマーを開始する上記実施形態のいずれかにおける方法。  
５８．ＷＴＲＵは、ソースセルとの通信の試みをアボートして、ＣＥＬＬ＿ＵＰＤＡＴＥメッセージをターゲットセルにわたって送信しようと試みる上記実施形態のいずれかにおける方法。  
５９．上記実施形態のうち少なくとも１つの方法を実行するよう構成されたＷＴＲＵ。
６０．上記実施形態のうち少なくとも１つの方法を実行するように構成されたノードＢ。
【００７９】
本発明の特徴および要素を、特定の組み合わせにおいて説明したが、それぞれの特徴または要素を、他の特徴および要素を用いずに単独において、または他の特徴および要素の有無にかかわらずさまざまな組み合わせにおいて使用することができる。提供された方法またはフローチャートを、コンピュータープログラム、ソフトウェア、または汎用コンピューターもしくはプロセッサによって実行されるコンピューター読み取り可能な記録媒体に明示的に具体化されるファームウェアに実装することができる。コンピューター読み取り可能な記録媒体の例は、リード・オンリー・メモリ（ＲＯＭ）、ランダム・アクセス・メモリ（ＲＡＭ）、レジスター、キャッシュメモリ、半導体メモリデバイス、内部ハードディスクおよび取外し可能なディスクなどの磁気媒体、光磁気媒体、ならびにＣＤ−ＲＯＭおよびデジタル多用途ディスク（ＤＶＤ）などの光媒体を含む。
【００８０】
適切なプロセッサは、例として、汎用プロセッサ、専用プロセッサ、または従来のプロセッサ、デジタル・シグナル・プロセッサ（ＤＳＰ）、複数のマイクロプロセッサ、ＤＳＰコアと連動する１つまたは複数のマイクロプロセッサ、コントローラー、マイクロコントローラー、特定用途向け集積回路（ＡＳＩＣ）、ＦＰＧＡ（Field Programmable Gate Array）回路、他のあらゆる種類の集積回路（ＩＣ）、および／または状態機械を含むことができる。
【００８１】
ソフトウェアに関連付けられたプロセッサを使用して、ＷＴＲＵ、ＵＥ、端末、基地局、ＲＮＣ、またはあらゆるホストコンピュータにおいて使用する無線周波数トランシーバーを実装できる。ＷＴＲＵを、カメラ、ビデオ・カメラ・モジュール、ビデオフォン、スピーカーフォン、振動デバイス、スピーカー、マイクロフォン、テレビジョントランシーバー、ハンズ・フリー・ヘッドセット、キーボード、Ｂｌｕｅｔｏｏｔｈ（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレーヤ、メディアプレーヤ、ビデオ・ゲーム・プレーヤー・モジュール、インターネットブラウザー、および／またはあらゆるワイヤレス・ローカル・エリア・ネットワーク（ＷＬＡＮ）モジュールなどのハードウェアおよび／またはソフトウェアに実装されるモジュールとともに使用できる。
【図１】
2018102000.tif 000003
【図２】
2018102000.tif 000004
【図３】
2018102000.tif 000005